(57)【要約】【課題】電源電圧が不安定な場合であっても、基準電流源回路を確実に起動することができるスタートアップ回路を提供する。【解決手段】基準電流源回路２の基準電流ＩＲＥＦに基づく動作点状態信号を、スタートアップ回路１における、ＰＭＯＳトランジスタＭ１２及びＮＭＯＳトランジスタＭ１３による動作点判定回路６にフィードバックする。異常動作点と判定された場合、ＰＭＯＳトランジスタＭ１４により正常動作点へと起動することで、電源投入時においてスタートアップ回路１を安定して起動できる。【選択図】図２
2013150127.tif 000002
【特許請求の範囲】
【請求項１】
基準電流源回路の内部のトランジスタに流れる電流の流れを起動し、該基準電流源回路の動作を起動するためのスタートアップ回路において、
前記トランジスタに電流が流れる正常動作点、又は流れない誤動作点であるかの動作点状態を判定する基準となる判定基準信号を出力する動作点判定基準回路と、
前記動作点状態に応じた動作点状態信号を前記基準電流源回路から取得し、前記判定基準信号と比較することで前記動作点状態を判定する動作点判定回路と、
前記トランジスタに電流が流れない誤動作点であると判定された場合、前記トランジスタに強制的に電流が流れるようにするためのスタートアップ信号を前記基準電流源回路に出力する正常動作点起動回路とを備えたことを特徴とするスタートアップ回路。
【請求項２】
前記動作点判定回路が、前記基準電流源回路の内部から取得される、前記正常動作点の状態に比べて、前記誤動作点の状態では高電位になる前記動作点状態信号を、前記判定基準信号と比較するものであることを特徴とする請求項１に記載のスタートアップ回路。
【請求項３】
前記動作点状態信号に比例する電気伝導率となる第１のトランジスタと、
前記判定基準信号に比例する電気伝導率となる第２のトランジスタと、を備え、
前記基準電流源回路が正常動作点にある場合、前記第１のトランジスタの電気伝導率が、前記第２のトランジスタの電気伝導率よりも小さくなるように構成され、
前記動作点判定回路が、これら第１のトランジスタ及び第２のトランジスタにより構成される電流比較回路となっており、
該動作点判定回路の出力を受けて、前記基準電流源回路が誤動作点にある場合にオン状態になり、前記基準電流源回路内部の前記トランジスタに強制的に電流が流れるようにする第３のトランジスタを、前記正常動作点起動回路として用いることを特徴とする請求項２に記載のスタートアップ回路。
【請求項４】
前記基準電流源回路が、高電位電源から低電位電源間へ、第１群のＰＭＯＳトランジスタ及びＮＭＯＳトランジスタのドレイン及びソースが直列に接続され、このソース及びドレインの接続点には該ＰＭＯＳトランジスタのゲートが接続され、又、高電位電源から低電位電源間へ、第２群のＰＭＯＳトランジスタ及びＮＭＯＳトランジスタのドレイン及びソースが直列に接続され、このソース及びドレインの接続点には該ＮＭＯＳトランジスタのゲートが接続され、更に、前記第１群及び前記第２群のＰＭＯＳトランジスタのゲートが互いに接続され、前記第１群及び前記第２群のＮＭＯＳトランジスタのゲートが互いに接続されて構成される基準電流源回路であって、
前記動作点判定基準回路が、高電位電源及び低電位電源間において、抵抗、ゲートがドレイン又はソースに接続されたダイオード接続になっているＭＯＳトランジスタのドレイン及びソースが直列接続され、該ゲートの接続点から前記判定基準信号が出力されるものであり、
前記動作点判定回路が、前記基準電流源回路において、前記第１群及び前記第２群相互のＰＭＯＳトランジスタのゲートの接続点から取得される前記動作点状態信号を、前記判定基準信号と比較することで前記動作点状態を判定するものであり、
該動作点判定回路において、トランジスタに電流が流れない誤動作点であると判定された場合、前記基準電流源回路は、前記スタートアップ信号により前記第１群のＭＯＳトランジスタのドレイン及びソースの接続点の電位を低下させることを特徴とする請求項１〜請求項３のいずれか１つに記載のスタートアップ回路。
【発明の詳細な説明】
【技術分野】
【０００１】
本発明は、スタートアップ回路に係り、電源電圧が不安定な場合であっても、基準電流源回路を確実に起動することができるスタートアップ回路の改良に関する。
【背景技術】
【０００２】
ＣＭＯＳのアナログ回路では、オペアンプやコンパレータなど、基準電流を必要とすることが多い。一般的な基準電流源回路には、所望の基準電流が流れる状態で安定となる正常動作点と、電流が流れない状態で安定となる誤動作点が存在する。そこで、誤動作点を消滅させるためにスタートアップ回路が用いられる。
【０００３】
図３は、従来のスタートアップ回路１及びこれを用いる基準電流源回路２の回路図である。
【０００４】
基準電流源回路２は、ＰＭＯＳトランジスタＭ２１、Ｍ２３、ＮＭＯＳトランジスタＭ２２、Ｍ２４、抵抗Ｒ２１から構成される。
【０００５】
ＰＭＯＳトランジスタＭ２１のＷ／Ｌ比は、ＰＭＯＳトランジスタＭ２３のＷ／Ｌ比よりも小さい。一方、ＮＭＯＳトランジスタＭ２２のＷ／Ｌ比は、ＮＭＯＳトランジスタＭ２４のＷ／Ｌ比と等しい。ここで、Ｗ／Ｌ比は、該当ＭＯＳトランジスタのゲート幅Ｗ（チャネル領域の幅）及びゲート長Ｌ（チャネル領域の長さ）の比である。同一のゲート電圧であれば、Ｗ／Ｌ比が大きい程ソース・ドレイン間電流は大になる。
【０００６】
なお、ＰＭＯＳトランジスタは、電流が正孔の移動によるとの観点から、高電位側をソース、低電位側をドレインとし、ＮＭＯＳトランジスタは、電流が電子の移動によるとの観点から、低電位側をソース、高電位側をドレインとする。
【０００７】
図３の場合、基準電流源回路に流れる基準電流ＩＲＥＦは、次式のいずれかになる。回路の動作状態が正常動作点であれば（１）式になり、誤動作点であれば（２）になる。
【０００８】
【数１】
2013150127.tif 000003
【０００９】
ここで、μpはＰＭＯＳの移動度、ＣOXはＰＭＯＳの単位面積当たりのゲート容量、Ｗ23はＰＭＯＳトランジスタＭ２３のゲート幅、Ｌ23はＰＭＯＳトランジスタＭ２３のゲート長、Ｗ22はＮＭＯＳトランジスタＭ２２のゲート幅、Ｌ22はＮＭＯＳトランジスタＭ２２のゲート長を表している。
【００１０】
正常動作点でのＩＲＥＦは、電源電圧に依存しない電流となるため、これをＮＭＯＳトランジスタＭ２４とＮＭＯＳトランジスタＭ０１で構成されるカレントミラー回路で取り出すことで、基準電流が得られる。一方、誤動作点では、ＩＲＥＦは流れないため、基準電流源として機能しない。
【００１１】
この誤動作点を消滅させるために、スタートアップ回路１が用いられる。
【００１２】
図３の従来のスタートアップ回路１は、抵抗Ｒ１１、コンデンサＣ１１、ＮＭＯＳトランジスタＭ１５から構成される。電源投入時、ＮＭＯＳトランジスタＭ１５のゲート電極の電位は、高電位電源ＶＤＤ及び低電位電源ＧＮＤ間に供給される電源電圧と共に上昇する。これにより、ＮＭＯＳトランジスタＭ１５がオン状態となる。
【００１３】
誤動作点では、ＰＭＯＳトランジスタＭ２１のドレイン電極の電位が、高電位電源ＶＤＤと等しくなっているため、ＰＭＯＳトランジスタＭ２１に電流が流れない。
【００１４】
ここで、ＮＭＯＳトランジスタＭ１５がオン状態となると、ＰＭＯＳトランジスタＭ２１のドレイン電極の電位が低下するため、ＰＭＯＳトランジスタＭ２１に電流が流れはじめ、誤動作点から正常動作点へと移行する。
【００１５】
電源電圧が安定すると、ＮＭＯＳトランジスタＭ１５のゲート電極の電位は、抵抗Ｒ１１によりプルダウンされるため低下する。これにより、ＮＭＯＳトランジスタＭ１５はオフ状態となり、基準電流源は正常に起動する。
【００１６】
特許文献１では、このような基準電流源回路のスタートアップ回路における消費電力の低減化を図るために、スタートアップ回路からの起動電圧をトリガとして電流を流した後には、該起動電圧を遮断するようにしている。
【００１７】
又、特許文献２では、電源投入直後に電源オフとされ再度電源投入されるようなときであっても、起動信号を出力して基準電圧源回路の起動時間を短縮するために、基準電圧源回路の動作状態に応じて、スタートアップ回路のコンデンサの充電回路を制御している。
【先行技術文献】
【特許文献】
【００１８】
【特許文献１】特開２００６−１２１４４８号公報
【特許文献２】特開２００３−１８８７１１号公報
【発明の概要】
【発明が解決しようとする課題】
【００１９】
しかしながら、従来のスタートアップ回路は、電源投入時の電圧変動を利用して動作するため、電圧変動が緩やかな場合、ＮＭＯＳトランジスタＭ１５がオン状態とならず正常に起動しない場合があるという問題があった。
【００２０】
本発明は、前記従来の問題点を解決するべくなされたもので、電源電圧が不安定な場合であっても、基準電流源回路を確実に起動することができるスタートアップ回路を提供することを課題とする。
【００２１】
なお、前述の特許文献２の実施形態の例えば図１のスタートアップ回路のＮチャネルＭＯＳトランジスタ１０の周辺回路は、後述する本発明の動作点判定回路に対して素子配置において類似しているものの、各素子の動作目的が異なっている。例えば、本発明では、スタートアップ回路においてコンデンサを用いなくても用いてもよいが、特許文献２についてはコンデンサを用いることが前提になっている。又、引用文献２では、誤動作点の検出といった点について記載されていない。
【課題を解決するための手段】
【００２２】
本発明は、基準電流源回路の内部のトランジスタに流れる電流の流れを起動し、該基準電流源回路の動作を起動するためのスタートアップ回路において、前記トランジスタに電流が流れる正常動作点、又は流れない誤動作点であるかの動作点状態を判定する基準となる判定基準信号を出力する動作点判定基準回路と、前記動作点状態に応じた動作点状態信号を前記基準電流源回路から取得し、前記判定基準信号と比較することで前記動作点状態を判定する動作点判定回路と、前記トランジスタに電流が流れない誤動作点であると判定された場合、前記トランジスタに強制的に電流が流れるようにするためのスタートアップ信号を前記基準電流源回路に出力する正常動作点起動回路とを備えるようにしたことにより、前記課題を解決したものである。
【００２３】
ここで、前記動作点判定回路が、前記基準電流源回路の内部から取得される、前記正常動作点の状態に比べて、前記誤動作点の状態では高電位になる前記動作点状態信号を、前記判定基準信号と比較するものであることができる。これにより、電源投入後、電源電圧が上昇して行く過程で、正常動作点の状態となるべき時点でも、未だ誤動作点の状態にある場合には、該誤動作点の状態を安定して検出することができ、電源投入後の電源電圧上昇の最中にも、誤動作点の状態あるいは正常動作点の状態の判定を安定して行うことができる。
【００２４】
更に、前記動作点状態信号に比例する電気伝導率となる第１のトランジスタと、前記判定基準信号に比例する電気伝導率となる第２のトランジスタと、を備え、前記基準電流源回路が正常動作点にある場合、前記第１のトランジスタの電気伝導率が、前記第２のトランジスタの電気伝導率よりも小さくなるように構成され、前記動作点判定回路が、これら第１のトランジスタ及び第２のトランジスタにより構成される電流比較回路となっており、該動作点判定回路の出力を受けて、前記基準電流源回路が誤動作点にある場合にオン状態になり、前記基準電流源回路内部の前記トランジスタに強制的に電流が流れるようにする第３のトランジスタを、前記正常動作点起動回路として用いることができる。
【００２５】
更には、前記基準電流源回路が、高電位電源から低電位電源間へ、第１群のＰＭＯＳトランジスタ及びＮＭＯＳトランジスタのドレイン及びソースが直列に接続され、このソース及びドレインの接続点には該ＰＭＯＳトランジスタのゲートが接続され、又、高電位電源から低電位電源間へ、第２群のＰＭＯＳトランジスタ及びＮＭＯＳトランジスタのドレイン及びソースが直列に接続され、このソース及びドレインの接続点には該ＮＭＯＳトランジスタのゲートが接続され、更に、前記第１群及び前記第２群のＰＭＯＳトランジスタのゲートが互いに接続され、前記第１群及び前記第２群のＮＭＯＳトランジスタのゲートが互いに接続されて構成される基準電流源回路であって、前記動作点判定基準回路が、高電位電源及び低電位電源間において、抵抗、ゲートがドレイン又はソースに接続されたダイオード接続になっているＭＯＳトランジスタのドレイン及びソースが直列接続され、該ゲートの接続点から前記判定基準信号が出力されるものであり、前記動作点判定回路が、前記基準電流源回路において、前記第１群及び前記第２群相互のＰＭＯＳトランジスタのゲートの接続点から取得される前記動作点状態信号を、前記判定基準信号と比較することで前記動作点状態を判定するものであり、該動作点判定回路において、トランジスタに電流が流れない誤動作点であると判定された場合、前記基準電流源回路は、前記スタートアップ信号により前記第１群のＭＯＳトランジスタのドレイン及びソースの接続点の電位を低下させるものとすることができる。
【発明の効果】
【００２６】
基準電流源回路において、所望の基準電流が流れる状態で安定する正常動作点と共に存在する、電流が流れない状態で安定する誤動作点を消滅させるためのスタートアップ回路では、電源投入時の電源電圧の変化を利用して基準電流源を起動するため、電源電圧が不安定な場合、安定して起動することができない。いわゆる誤動作点の状態となることがある。
【００２７】
本発明によれば、基準電流源回路が誤動作点の状態であればこれを検出し、強制的に正常動作点へと移行させるので、回路の動作状態を安定させて基準電流を提供することができ、基準電流源の起動の安定化を図ることが可能である。
【図面の簡単な説明】
【００２８】
【図１】本発明の実施形態のスタートアップ回路の構成を示すブロック図
【図２】本発明の実施例のスタートアップ回路及びこれを用いる基準電流源回路を示す回路図
【図３】従来からのスタートアップ回路及びこれを用いる基準電流源回路を示す回路図
【発明を実施するための形態】
【００２９】
以下、図面を参照して本発明の実施形態を詳細に説明する。
【００３０】
図１は、本発明の実施形態のスタートアップ回路の構成を示すブロック図である。まず、本実施形態の構成について説明する。
【００３１】
本実施形態のスタートアップ回路１が用いられる基準電流源回路２は、図３に示した従来例や、図２により後述する実施例のものである。本発明では、このような基準電流源回路２が誤動作点の状態であればこれを検出し、強制的に正常動作点へと移行させる。
【００３２】
このため、基準電流源回路２からは、正常動作点の状態、及び誤動作点の状態を把握するための動作点状態信号を取得する。この動作点状態信号は、本発明が適用されるスタートアップ回路１に入力され、誤動作点の状態の判定に用いられる。スタートアップ回路１は、該判定により誤動作点の状態が検出されると、強制的に基準電流源回路２を正常動作点の状態へと移行させる。これにより、スタートアップ回路１は、基準電流源回路２の内部のトランジスタに流れる電流の流れを起動し、基準電流源回路２の動作を起動することができる。
【００３３】
このスタートアップ回路１は、図示されるように、動作点判定基準回路５と、動作点判定回路６と、正常動作点起動回路７とを有している。
【００３４】
まず、動作点判定基準回路５は、基準電流ＩＲＥＦに関わる電流を一定電流として流すようにしているトランジスタにおいて、このような電流が流れる正常動作点、又は流れない誤動作点であるかの動作点状態を判定する基準を設定し、該設定に基づく判定基準信号を出力する。この設定は、与えられる電源電圧を抵抗やコンデンサなどで分割して設定することによって行うこともできる。又、ダイオード接続されるトランジスタなどの順方向電圧により設定することもでき、この場合、電源投入時の電源電圧の過渡変化などの影響が少ない判定基準信号を出力することができる。
【００３５】
動作点判定回路６は、基準電流源回路２から取得された動作点状態に応じた動作点状態信号を、上記の判定基準信号と比較することで、基準電流源回路２の動作点状態を判定する。この動作点判定回路６は、電流比較回路であっても、電圧比較回路であってもよい。
【００３６】
又、正常動作点起動回路７は、この動作点判定回路６において基準電流源回路２が誤動作点の状態にあると判定された場合、該基準電流源回路２に対してスタートアップ信号を出力する。
【００３７】
図２は、本発明の実施例のスタートアップ回路及びこれを用いる基準電流源回路を示す回路図である。まず、本実施例の回路構成について説明する。
【００３８】
本実施例では、基準電流源回路２は、ＰＭＯＳトランジスタＭ２１、ＮＭＯＳトランジスタＭ２２、ＰＭＯＳトランジスタＭ２３、ＮＭＯＳトランジスタＭ２４、抵抗Ｒ２１により構成される。又、ＮＭＯＳトランジスタＭ０１に流れる基準電流ＩＲＥＦが、基準電流源回路２から外部に提供される基準電流となる。
【００３９】
このような基準電流源回路２において、高電位電源ＶＤＤから低電位電源ＧＮＤ間へ、第１群のＰＭＯＳトランジスタＭ２１及びＮＭＯＳトランジスタＭ２２のドレイン及びソースが直列に接続され、このソース及びドレインの接続点には該ＰＭＯＳトランジスタＭ２１のゲートが接続されている。又、高電位電源ＶＤＤから低電位電源ＧＮＤ間へ、第２群のＰＭＯＳトランジスタＭ２３及びＮＭＯＳトランジスタＭ２４のドレイン及びソースが直列に接続され、このソース及びドレインの接続点には該ＮＭＯＳトランジスタＭ２４のゲートが接続されている。
【００４０】
更に、上記の第１群及び第２群のＰＭＯＳトランジスタＭ２１、Ｍ２３のゲートが互いに接続され、前記第１群及び前記第２群のＮＭＯＳトランジスタＭ２２、Ｍ２４のゲートが互いに接続されている。
【００４１】
又、このような基準電流源回路２において、第１群のＰＭＯＳトランジスタＭ２１及びＮＭＯＳトランジスタＭ２２、第２群のＰＭＯＳトランジスタＭ２３及びＮＭＯＳトランジスタＭ２４、及び、ＮＭＯＳトランジスタＭ０１は、カレントミラー回路を構成することになり、いずれのドレイン及びソースにおいても、図示されるように基準電流とされる電流ＩＲＥＦが流れることになる。ここで、ＮＭＯＳトランジスタＭ０１に流れる電流ＩＲＥＦは、基準電流源回路２から外部に提供される基準電流となる。
【００４２】
次に、スタートアップ回路１について説明すると、このスタートアップ回路１は、抵抗Ｒ１１及びＮＭＯＳトランジスタＭ１１による動作点判定基準回路５と、ＰＭＯＳトランジスタＭ１２及びＮＭＯＳトランジスタＭ１３による動作点判定回路６と、ＰＭＯＳトランジスタＭ１４による正常動作点起動回路７によって構成されている。
【００４３】
まず、動作点判定基準回路５は、ＮＭＯＳトランジスタＭ１１が、ドレイン・ゲート間が接続されるダイオード接続され、ドレイン・ソース間は順方向電圧となる。又、ＮＭＯＳトランジスタＭ１１のドレインと高電位電源ＶＤＤとの間には、抵抗Ｒ１１が介在される。この動作点判定基準回路５のＮＭＯＳトランジスタＭ１１のドレイン・ゲート間の接続点から出力される判定基準信号は、電源投入後、高電位電源ＶＤＤ及び低電位電源ＧＮＤ間の電源電圧と共に、ゼロボルトからこの順方向電圧まで上昇することになる。
【００４４】
次に、本実施例の動作点判定回路６は、基準電流源回路２における基準電流ＩＲＥＦと、抵抗Ｒ１１及びＮＭＯＳトランジスタＭ１１に流れる電流を比較する電流比較回路となっている。又、この動作点判定回路６は、基準電流ＩＲＥＦに従った動作点状態信号の電圧と、ダイオード接続にあるＮＭＯＳトランジスタＭ１１の順方向電圧に従った設定電圧の判定基準信号とを比較する電圧比較回路とも考えることができる。
【００４５】
動作点判定回路６に入力される動作点状態信号は、スタートアップ回路１において、第１群及び第２群相互のＰＭＯＳトランジスタＭ２１、Ｍ２３のゲートの接続点から取得される。ＰＭＯＳトランジスタＭ１４は、ＰＭＯＳトランジスタＭ１２及びＮＭＯＳトランジスタＭ１３による電流比較回路の出力を受けて、ＰＭＯＳトランジスタＭ２１のドレイン電極の電位を制御する。このように本実施例では、基準電流源回路２の基準電流ＩＲＥＦに基づく動作点状態信号をスタートアップ回路１にフィードバックすることで、基準電流源が安定して起動できるよう構成されている。
【００４６】
ＮＭＯＳトランジスタＭ１３の電気伝導率（電気伝導度、導電率）は、ＮＭＯＳトランジスタＭ１１に流れる電流に比例し、ＰＭＯＳトランジスタＭ１２の電気伝導率は、ＰＭＯＳトランジスタＭ２１に流れる電流に比例する。又、ＮＭＯＳトランジスタＭ１３の電気伝導率は、基準電流源回路２が正常動作点にある場合にＰＭＯＳトランジスタＭ１２の電気伝導率よりも小さくなるよう構成されている。
【００４７】
次に、ＰＭＯＳトランジスタＭ１４は、ゲートが動作点判定回路６のＰＭＯＳトランジスタＭ１２及びＮＭＯＳトランジスタＭ１３のこれらドレインの接続点に接続される。又、該ＰＭＯＳトランジスタＭ１４のソースは、ＰＭＯＳトランジスタＭ２１及びＮＭＯＳトランジスタＭ２２のドレインの接続点に接続され、ドレインは低電位電源ＧＮＤに接続され、正常動作点起動回路７として機能している。従って、動作点判定基準回路５の設定電圧の判定基準信号より、基準電流源回路２から取得される動作点状態信号の電位が高いとオン状態になり、ＰＭＯＳトランジスタＭ２１及びＮＭＯＳトランジスタＭ２２のドレインの接続点と、低電位電源ＧＮＤとの間がオン状態になることで、基準電流源回路２の基準電流の流れを起動する（スタートアップ）。なお、このオン状態とは、動作状態を把握する上で電気伝導率が十分に大となっている状態である。
【００４８】
続いて、本実施例のスタートアップ回路１の動作について説明する。
【００４９】
基準電流源回路２が誤動作点にある場合、ＰＭＯＳトランジスタＭ２１のドレイン電極の電位が、高電位電源ＶＤＤと等しくなっているため、ＰＭＯＳトランジスタＭ２１に電流が流れない。電源投入後に誤動作点となる場合、このドレイン電極の電位は、電源電圧上昇又高電位電源ＶＤＤ上昇に従ってこのような電位に上昇する。
【００５０】
これに伴って、基準電流源回路２が誤動作点にある場合、ＰＭＯＳトランジスタＭ１２のゲート電位が高くなり該ＰＭＯＳトランジスタＭ１２のオン抵抗は高くなる。一方、ＮＭＯＳトランジスタＭ１３のオン抵抗は、ダイオード接続にあるＮＭＯＳトランジスタＭ１１の順方向電圧に従ったものとなる。よって、ＰＭＯＳトランジスタＭ１４のゲート電極の電位は低下し、該ＰＭＯＳトランジスタＭ１４はオン状態となる。
【００５１】
このように誤動作点において該ＰＭＯＳトランジスタＭ１４がオン状態となると、ＰＭＯＳトランジスタＭ２１のドレイン電極の電位が低下するため、ＰＭＯＳトランジスタＭ２１に電流が流れ始める。従って、基準電流源回路２は、誤動作点から正常動作点へと移行する。
【００５２】
一方、基準電流源回路２が正常動作点にある場合、ＰＭＯＳトランジスタＭ２１のドレイン電極の電位は、高電位電源ＶＤＤに対して低くなっている。これに伴って、ＰＭＯＳトランジスタＭ１２のゲート電位が低くなって該ＰＭＯＳトランジスタＭ１２のオン抵抗は低くなり、ダイオード接続にあるＮＭＯＳトランジスタＭ１１の順方向電圧に従ったＮＭＯＳトランジスタＭ１３のオン抵抗より低くなる。よって、ＰＭＯＳトランジスタＭ１４のゲート電極の電位は上昇し、該ＰＭＯＳトランジスタＭ１４はオフ状態となる。従って、基準電流源回路２は、正常動作点が維持され、電源投入時には正常に起動することができる。
【００５３】
以上のように、本実施例のスタートアップ回路は、基準電流をフィードバックしているため、電源電圧の状態によらず、基準電流源回路を誤動作点から正常動作点に移行させることが可能である。
【００５４】
ここで、動作点状態信号を、ＮＭＯＳトランジスタＭ２２及びＮＭＯＳトランジスタＭ２４のゲートの接続点から取得することも考えられる。この場合、動作点状態信号は、誤動作点の状態では正常動作点の状態に比べて低電位になるので、動作点判定回路６は、これに応じた判定を行えばよい。
【００５５】
しかしながら、本実施例のように、動作点状態信号が、誤動作点の状態では正常動作点の状態に比べて高電位になる回路構成の方が、電源投入後の電源電圧上昇の最中にも、誤動作点の状態あるいは正常動作点の状態の判定を安定して行うことができる。本実施例では、ＰＭＯＳトランジスタＭ２１のドレイン電極の電位から該動作点状態信号を取得しているので、正常動作点の状態の場合に対して、誤動作点の状態の場合は高くなる。従って、電源投入後、電源電圧が上昇して行く過程で、正常動作点の状態となるべき時点でも、未だ誤動作点の状態にある場合には、該誤動作点の状態を安定して検出することができる。
【００５６】
なお、省電力の面では、基準電流源回路２の基準電流ＩＲＥＦが所望の電流値に安定後には、ＮＭＯＳトランジスタＭ１１のソース・ドレイン間がオフ状態になることが望ましいので、このための回路素子を設けることも考えられる。例えば、容量が十分に大のコンデンサを抵抗Ｒ１１に対して直列に挿入することも考えられる。なお、本実施例では、このＮＭＯＳトランジスタＭ１１のソース・ドレイン間がオフ状態になると、ＮＭＯＳトランジスタＭ１３、ＰＭＯＳトランジスタＭ１４のソース・ドレイン間もオフ状態になり、電力消費がなくなる。
【符号の説明】
【００５７】
１…スタートアップ回路
２…基準電流源回路
５…動作点判定基準回路
６…動作点判定回路
７…正常動作点起動回路
Ｍ０１、Ｍ１１〜Ｍ１５、Ｍ２１〜Ｍ２４…ＭＯＳトランジスタ
Ｒ１１、Ｒ２１…抵抗
ＩＲＥＦ…基準電流
【図１】
2013150127.tif 000004
【図２】
2013150127.tif 000005
【図３】
2013150127.tif 000006